(57)【要約】      （修正有）【課題】ぐらつきが生じ難い安定した補強が可能であり、両方向からの緊締具合の調整が可能な調整範囲が広く作業性が良好であり、しかも様々な形鋼に対応可能な吊り金具用補強金具を提供する。【解決手段】吊り金具用補強金具が、（１）〜（４）の特定構成から選ばれる掛止部材と、掛止部材に設けられている透孔に一端が挿通すると共に他端が前記吊り金具内を貫通して該吊り金具後端から突出するネジ棒と、ネジ棒の一端に螺合して前記掛止部材を背面から直接又は他部材を介して間接的に位置固定するナットと、吊り金具の後端に当接すると共に前記ネジ棒の他端が挿通される透孔を有する固定板と、ネジ棒の他端に螺合して前記固定板を位置固定するナットとを有して構成される。【選択図】図１
0003125379.tif 000002
【実用新案登録請求の範囲】
【請求項１】
Ｈ型鋼、Ｌ型鋼、チャンネル等の形鋼のフランジに取り付けられる吊り金具の取付固定を補強する吊り金具用補強金具において、
前記補強金具が、下記（１）〜（４）の構成から選ばれる掛止部材と、
該掛止部材に設けられている透孔に一端が挿通すると共に他端が前記吊り金具内を貫通して該吊り金具後端から突出するネジ棒と、
該ネジ棒の一端に螺合して前記掛止部材を背面から直接又は他部材を介して間接的に位置固定するナットと、
前記吊り金具の後端に当接すると共に前記ネジ棒の他端が挿通される透孔を有する固定板と、
前記ネジ棒の他端に螺合して前記固定板を位置固定するナットと、
を有して構成され、
前記吊り金具が取付けられる形鋼の種類に応じて下記（１）〜（４）の構成から選ばれる掛止部材を適宜選択して用いる構成であることを特徴とする吊り金具用補強金具。
（掛止部材の構成）
（１）ヘ字状の板材から成り、吊り金具が取付けられるＨ型鋼の下フランジの一方と相対峙する下フランジの他方に引っ掛かる掛止部と、前記ネジ棒の一端が挿通される透孔と、を有する構成であるＨ型鋼用の掛止部材。
（２）コ字状掛止部材とコ字状固定部材との組合せから成り、
前記コ字状掛止部材が、吊り金具が取付けられるＨ型鋼の下フランジの一方と相対峙する下フランジの他方の下面に当接して係止する２枚の水平抑え板部を有するコ字状の開口部と、該開口部内の前記下フランジの他方の上面を上から締め付け固定する固定ボルトと、前記ネジ棒の一端が背面まで貫通して挿通可能な間隙を有する構成であり、
前記コ字状固定部材が、前記コ字状掛止部材の背面に当接状態で配設され、前記コ字状掛止部材の間隙を貫通して背面まで挿通された前記ネジ棒の一端が挿通される透孔が形成された構成であるＨ型鋼用の掛止部材。
（３）逆レ字状板材から成り、吊り金具が取付けられるＬ型鋼の水平フランジに連設する垂直フランジの上端に掛止する垂直フランジ掛止部と、前記ネジ棒の一端が挿通される透孔と、を有する構成であるＬ型鋼用の掛止部材。
（４）Ｌ字状の板材から成り、該Ｌ字状の板材の縦辺部の上部には、吊り金具が取付けられるＬ型鋼又はチャンネルの一辺の水平フランジに連設する垂直フランジの外側面に当接して掛止する垂直フランジ掛止部が形成され、前記Ｌ字状の板材の縦辺部には、前記ネジ棒の一端が挿通される透孔が形成され、前記Ｌ字状の横辺部の先端には、前記吊り金具の２枚の水平抑え板部間の下方部に当接して掛止する釣り金具掛止部が形成された構成であるＬ型鋼又はチャンネル用の掛止部材。
【請求項２】
請求項１に記載の構成（１）、（３）及び（４）の掛止部材に設けられている透孔が雌ネジ部を有する構成であることを特徴とする吊金具用補強金具。
【請求項３】
前記掛止部材の透孔がバーリングタップ加工されて雌ネジ部が形成された構成であることを特徴とする請求項２に記載の吊金具用補強金具。
【請求項４】
請求項１に記載の構成（２）のコ字状固定部材に設けられている透孔が雌ネジ部を有する構成であることを特徴とする吊金具用補強金具。
【請求項５】
前記コ字状固定部材の透孔がバーリングタップ加工されて雌ネジ部が形成された構成であることを特徴とする請求項４に記載の吊金具用補強金具。
【請求項６】
前記固定板に設けられている透孔が雌ネジ部を有する構成であることを特徴とする請求項１〜５のいずれかに記載の吊金具用補強金具。
【請求項７】
前記固定板の透孔がバーリングタップ加工されて雌ネジ部が形成された構成であることを特徴とする請求項６に記載の吊金具用補強金具。
【請求項８】
前記固定板が断面コ字状を有し、該固定板の両端の立ち上がり部が前記吊り金具の後端の両側に引っ掛かる構成であることを特徴とする請求項１〜７のいずれかに記載の吊り金具用補強金具。
【考案の詳細な説明】
【技術分野】
【０００１】
本考案は吊り金具用補強金具に関し、詳しくはＨ型鋼、Ｌ型鋼（山形鋼・アングル）、チャンネル（溝形鋼）等の形鋼のフランジに取り付けられる吊り金具の固定を補強する吊り金具用補強金具に関する。
【背景技術】
【０００２】
吊り金具は、天井等から梁状に延びているＨ型鋼等の形鋼から該形鋼に穴を開けることなく吊りボルトを下げる場合に用いられている。
【０００３】
形鋼への吊り金具の取付けは、該形鋼の水平のフランジに対して横方向から差し込まれた後に該フランジを上下から挟着握持することで固定することで行われている。
【０００４】
しかし、このような取付構成を有する吊り金具は、横方向に荷重が作用した場合に脱落し易いという特有の問題点を有している。
【０００５】
このため、特許文献１〜５等に記載されている補強金具によって固定を補強することが提案されている。また、本考案者も特許文献６に記載の技術を先に提案している。
【０００６】
【特許文献１】特許第３５８７８０１号
【特許文献２】特許第３５３８７７８号
【特許文献３】特許第２７４７６６７号
【特許文献４】特許第３７４３９０６号
【特許文献５】実用新案登録第１４９５５４７号
【特許文献６】登録実用新案第３１２１５８１号
【考案の開示】
【考案が解決しようとする課題】
【０００７】
特許文献１及び２に記載の技術は、形鋼のフランジに引っ掛かる折り返し部を有する板状体からなる補助金具を取付けることで吊り金具の固定の補強を行っている。
【０００８】
しかしこれらの技術では、板状体の長さが調節不可能なため、種々のフランジ幅を有する形鋼に適用させるには種々の長さを有する板状体を用意しなければならないという欠点を有している。
【０００９】
特許文献３及び４に記載の技術は、形鋼のフランジに引っ掛かる折曲端を有する固定板と該固定板と吊り金具とを連結するＵ字状ボルトからなる補強金具を取付けることで吊り金具の固定の補強を行っている。
【００１０】
しかしこの技術では、緊締具合の調整がＵ字状ボルトの一端側のみであるため、緊締具合の調整が一方側のみでしか行えず、調整範囲の融通性と調整作業の作業性の両面で欠点を有している。
【００１１】
特許文献５に記載の技術は、形鋼のフランジに引っ掛かるフックボルトと該フックボルトの一端に螺合するナットからなる補助金具を取付けることで吊り金具の固定の補強を行っている。
【００１２】
しかしこの技術では、フランジに対してフックボルトが点接触であるため、荷重が掛かった際にぐらつきが生じ易いという欠点を有していると共に、緊締具合の調整がフックボルトの一端側のみであるため、緊締具合の調整作業が一方側のみでしか行えず、調整範囲の融通性と調整作業の作業性の両面で欠点を有している。
【００１３】
また、本考案者による特許文献６に記載の技術は、これらの点を解決したものの、Ｈ型鋼、Ｌ型鋼（山形鋼・アングル）、チャンネル（溝形鋼）等の様々な種類の形鋼に対応させるためには、未だ改善の余地があることがわかった。
【００１４】
そこで本考案の課題は、ぐらつきが生じ難い安定した補強が可能であり、両方向からの緊締具合の調整が可能な調整範囲が広く作業性が良好であり、しかも様々な形鋼に対応可能な吊り金具用補強金具を提供することにある。
【課題を解決するための手段】
【００１５】
上記課題を解決する本考案は下記構成を有する。
【００１６】
１．Ｈ型鋼、Ｌ型鋼、チャンネル等の形鋼のフランジに取り付けられる吊り金具の取付固定を補強する吊り金具用補強金具において、
前記補強金具が、下記（１）〜（４）の構成から選ばれる掛止部材と、
該掛止部材に設けられている透孔に一端が挿通すると共に他端が前記吊り金具内を貫通して該吊り金具後端から突出するネジ棒と、
該ネジ棒の一端に螺合して前記掛止部材を背面から直接又は他部材を介して間接的に位置固定するナットと、
前記吊り金具の後端に当接すると共に前記ネジ棒の他端が挿通される透孔を有する固定板と、
前記ネジ棒の他端に螺合して前記固定板を位置固定するナットと、
を有して構成され、
前記吊り金具が取付けられる形鋼の種類に応じて下記（１）〜（４）の構成から選ばれる掛止部材を適宜選択して用いる構成であることを特徴とする吊り金具用補強金具。
（掛止部材の構成）
（１）ヘ字状の板材から成り、吊り金具が取付けられるＨ型鋼の下フランジの一方と相対峙する下フランジの他方に引っ掛かる掛止部と、前記ネジ棒の一端が挿通される透孔と、を有する構成であるＨ型鋼用の掛止部材。
（２）コ字状掛止部材とコ字状固定部材との組合せから成り、
前記コ字状掛止部材が、吊り金具が取付けられるＨ型鋼の下フランジの一方と相対峙する下フランジの他方の下面に当接して係止する２枚の水平抑え板部を有するコ字状の開口部と、該開口部内の前記下フランジの他方の上面を上から締め付け固定する固定ボルトと、前記ネジ棒の一端が背面まで貫通して挿通可能な間隙を有する構成であり、
前記コ字状固定部材が、前記コ字状掛止部材の背面に当接状態で配設され、前記コ字状掛止部材の間隙を貫通して背面まで挿通された前記ネジ棒の一端が挿通される透孔が形成された構成であるＨ型鋼用の掛止部材。
（３）逆レ字状板材から成り、吊り金具が取付けられるＬ型鋼の水平フランジに連設する垂直フランジの上端に掛止する垂直フランジ掛止部と、前記ネジ棒の一端が挿通される透孔と、を有する構成であるＬ型鋼用の掛止部材。
（４）Ｌ字状の板材から成り、該Ｌ字状の板材の縦辺部の上部には、吊り金具が取付けられるＬ型鋼又はチャンネルの一辺の水平フランジに連設する垂直フランジの外側面に当接して掛止する垂直フランジ掛止部が形成され、前記Ｌ字状の板材の縦辺部には、前記ネジ棒の一端が挿通される透孔が形成され、前記Ｌ字状の横辺部の先端には、前記吊り金具の２枚の水平抑え板部間の下方部に当接して掛止する釣り金具掛止部が形成された構成であるＬ型鋼又はチャンネル用の掛止部材。
【００１７】
２．上記１に記載の構成（１）、（３）及び（４）の掛止部材に設けられている透孔が雌ネジ部を有する構成であることを特徴とする吊金具用補強金具。
【００１８】
３．前記掛止部材の透孔がバーリングタップ加工されて雌ネジ部が形成された構成であることを特徴とする上記２に記載の吊金具用補強金具。
【００１９】
４．上記１に記載の構成（２）のコ字状固定部材に設けられている透孔が雌ネジ部を有する構成であることを特徴とする吊金具用補強金具。
【００２０】
５．前記コ字状固定部材の透孔がバーリングタップ加工されて雌ネジ部が形成された構成であることを特徴とする上記４に記載の吊金具用補強金具。
【００２１】
６．前記固定板に設けられている透孔が雌ネジ部を有する構成であることを特徴とする上記１〜５のいずれかに記載の吊金具用補強金具。
【００２２】
７．前記固定板の透孔がバーリングタップ加工されて雌ネジ部が形成された構成であることを特徴とする上記６に記載の吊金具用補強金具。
【００２３】
８．前記固定板が断面コ字状を有し、該固定板の両端の立ち上がり部が前記吊り金具の後端の両側に引っ掛かる構成であることを特徴とする上記１〜７のいずれかに記載の吊り金具用補強金具。
【考案の効果】
【００２４】
請求項１に示す考案によれば、ぐらつきが生じ難い安定した補強が可能であり、両方向からの緊締具合の調整が可能な調整範囲が広く作業性が良好であり、しかも様々な形鋼に対応可能な吊り金具用補強金具を提供することができる。
【００２５】
特に、吊り金具が取付けられる形鋼の種類（Ｈ型鋼、Ｌ型鋼（山形鋼・アングル）、チャンネル（溝形鋼））に応じて、上記（１）〜（４）の構成から選ばれる掛止部材を適宜選択して用いることにより、様々な形鋼に対応した補強が可能となる。
【００２６】
即ち、構成（１）又は構成（２）の掛止部材を用いることでＨ型鋼のフランジに取付けた吊り金具の取付固定を補強することができ、構成（３）の係止部材を用いることでＬ型鋼のフランジに取付けた吊り金具の取付固定を補強することができ、構成（４）の掛止部材を用いることでＬ型鋼又はチャンネルのフランジに取付けた吊り金具の取付固定を補強することができる。
【００２７】
請求項２に示す発明によれば、該雌ネジ部とナットとを併用することで掛止部材をより強固に固定することができる。
【００２８】
請求項３に示す発明によれば、雌ネジ部を他部材で構成したものに比して部品点数を減じることができる。
【００２９】
請求項４に示す発明によれば、該雌ネジ部とナットとを併用することでコ字状固定部材及び該コ字状部材が当接するコ字状掛止部材をより強固に固定することができる。
【００３０】
請求項５に示す発明によれば、雌ネジ部を他部材で構成したものに比して部品点数を減じることができる。
【００３１】
請求項６に示す発明によれば、該雌ネジ部とナットとを併用することで固定板をより強固に固定することができる。特に、掛止部材の透孔と固定板の透孔の両者を雌ネジ部とすることで、掛止部材及び固定板の固定をより強固とすることができるので、形鋼に取付けた吊り金具の取付固定をより強固に補強することができる。
【００３２】
請求項７に示す発明によれば、雌ネジ部を他部材で構成したものに比して部品点数を減じることができる。
【００３３】
請求項８に示す発明によれば、吊り金具への固体板の固定がより強固となる。
【考案を実施するための最良の形態】
【００３４】
本考案に係る吊り金具用補強金具の詳細について、添付の図面に基づき説明する。
【００３５】
図１は本考案に係る吊り金具用補強金具の一実施例を示す斜視図、図２は図１の構成（１）の掛止部材を用いた使用例の一例を示す正面図、図３は図１の構成（２）の掛止部材を用いた使用例の一例を示す正面図、図４は図１の構成（３）の掛止部材を用いた使用例の一例を示す正面図、図５は図１の構成（４）の掛止部材を用いた使用例の一例を示す正面図、図６は図５のＶＩ−ＶＩ線断面図、図７は固定板の透孔と掛止部材の透孔の一例を示す要部断面図である。
【００３６】
図１〜図５に示すように、本考案に係る吊り金具用補強金具（以下、単に補強金具ということもある。）１は、形鋼２（Ｈ型鋼２Ａ、Ｌ型鋼２Ｂ、チャンネル２Ｃ）のフランジ（下フランジ２１や水平フランジ２２）に取り付けられる吊り金具３の取付固定を補強するものである。
【００３７】
本考案の補強金具１によって取付固定が補強される吊り金具３は、形鋼２のフランジ（下フランジ２１や水平フランジ２２）の下面に当接して係止する２枚の水平抑え板部３１・３１を有する略コ字状の開口部３２と、該開口部３２内のフランジ（下フランジ２１や水平フランジ２２）を上から締め付け固定するフランジ固定ボルト３３との挟着によって前記形鋼２に取り付けられるものである。
【００３８】
補強金具１の具体的構成としては、図１に示すように、下記（１）〜（４）の構成から選ばれる掛止部材１１〜１４と、該掛止部材１１〜１４に設けられている透孔１１Ａ，１２２Ａ，１３Ａ，１４Ａに一端１５Ａが挿通すると共に他端１５Ｂが前記吊り金具３内を貫通して該吊り金具３後端から突出するネジ棒１５と、  該ネジ棒１５の一端１５Ａに螺合して前記掛止部材１１〜１４を背面から直接又は他部材を介して間接的に位置固定するナット１６と、  前記吊り金具３の後端に当接すると共に前記ネジ棒１５の他端が挿通する透孔１７Ａを有する固定板１７と、前記ネジ棒１５の他端に螺合して前記固定板１７を位置固定するナット１８と、を有して構成される。
【００３９】
（１）〜（４）の構成を有する掛止部材１１〜１４の各構成は下記の通りである。
【００４０】
（１）の構成を有する掛止部材１１は、図１の（１）及び図２に示すように、透孔１１Ａと掛止部１１Ｂとを有するヘ字状の板材から成り、吊り金具３が取付けられるＨ型鋼２Ａの下フランジ２１の一方２１Ａと相対峙する下フランジ２１の他方２１Ｂに引っ掛かる掛止部１１Ｂと、前記ネジ棒１５の一端１５Ａが挿通される透孔１１Ａと、を有する構成により、Ｈ型鋼２Ａに取付けられる吊り金具３の取付固定を補強する掛止部材１１である。
【００４１】
（２）の構成を有する掛止部材１２は、図１の（２）及び図３に示すように、２枚の水平抑え板部１２１Ａ・１２１Ａとコ字状の開口部１２１Ｂと固定ボルト１２１Ｃとを有するコ字状掛止部材１２１と、透孔１２２Ａを有するコ字状固定部材１２２との組合せから成り、前記コ字状掛止部材１２１が、吊り金具３が取付けられるＨ型鋼２Ａの下フランジ２１の一方２１Ａと相対峙する下フランジ２１の他方２１Ｂの下面に当接して係止する２枚の水平抑え板部１２１Ａを有するコ字状の開口部１２１Ｂと、該開口部１２１Ｂ内の前記下フランジ２１の他方２１Ｂの上面を上から締め付け固定する固定ボルト１２１Ｃと、前記ネジ棒１５の一端１５Ａが背面まで貫通して挿通可能な間隙を有する構成であり、前記コ字状固定部材１２２が、前記コ字状掛止部材１２１の背面に当接状態で配設され、前記コ字状掛止部材１２１の間隙を貫通して背面まで挿通された前記ネジ棒１５の一端１５Ａが挿通される透孔１２２Ａが形成された構成により、Ｈ型鋼２Ａに取付けられる吊り金具３の取付固定を補強する掛止部材１２である。
【００４２】
（３）の構成を有する掛止部材１３は、図１の（３）及び図４に示すように透孔１３Ａと垂直フランジ係止部１３Ｂとを有する逆レ字状板材から成り、吊り金具３が取付けられるＬ型鋼２Ｂの水平フランジ２２に連設する垂直フランジ２３の上端に掛止する垂直フランジ掛止部１３Ｂと、前記ネジ棒１５の一端１５Ａが挿通される透孔１３Ａと、を有する構成により、Ｌ型鋼２Ｂに取付けられる吊り金具３の取付固定を補強する掛止部材１３である。
【００４３】
（４）の構成を有する掛止部材１４は、図１の（４）、図５の（Ａ）又は（Ｂ）及び図６に示すように、透孔１４Ａ及び垂直フランジ掛止部１４Ｂが形成された縦辺部１４Ｃと吊り金具掛止部１４Ｄが形成された横辺部１４Ｅとを有するＬ字状の板材から成り、該Ｌ字状の板材の縦辺部１４Ｃの上部には、吊り金具３が取付けられるＬ型鋼２Ｂ又はチャンネル２Ｃの一辺の水平フランジ２２に連設する垂直フランジ２３の外側面に当接して掛止する垂直フランジ掛止部１４Ｂが形成され、更に該縦辺部１４Ｃには前記ネジ棒１５の一端１５Ａが挿通される透孔１４Ａが形成され、前記Ｌ字状の横辺部１４Ｅの先端には、前記吊り金具３の２枚の水平抑え板部３１・３１間の下方部に当接して掛止する釣り金具掛止部１４Ｄが形成された構成により、Ｌ型鋼２Ｂ又はチャンネル２Ｃに取付けられる吊り金具３の取付固定を補強する掛止部材１４である。
【００４４】
上記（１）〜（４）の構成を有する掛止部材１１〜１４に設けられている透孔１１Ａ，１２２Ａ，１３Ａ，１４Ａは雌ネジ部を有していることが好ましく、より好ましくはこれらの透孔１１Ａ，１２２Ａ，１３Ａ，１４Ａをバーリングタップ加工することで雌ネジ部を一体的に形成することである。尚、雌ネジ部を有する他の部材、例えば、ナット等を透孔１１Ａ，１２２Ａ，１３Ａ，１４Ａ部分に取り付けることで雌ネジ部を形成することもできる。
【００４５】
掛止部材１１〜１４の材質としては、吊り金具３と同種のステンレスや鉄等の配管支持分野の材質として公知公用の金属素材から形成されることが好ましい。
【００４６】
以上の構成を有する掛止部材１１〜１４は、吊り金具３が取付けられる形鋼２の種類に応じて前記（１）〜（４）の構成から適宜選択して用いる。
【００４７】
ネジ棒１５は、掛止部材１１〜１４を固定するナット１６及び固定板１７を固定するナット１８が螺合する部分に雄ネジ部を有する棒状体であり、雄ネジ部は全ネジであってもよいし、ナット１６及びナット１８が螺合する部分だけ形成されていてもよい。該ネジ棒１５としては、ステンレス製等の汎用の全ネジボルトや両ネジボルトを用いることができる。
【００４８】
固定板１７は、吊り金具３を貫通するネジ棒１５と該ネジ棒１５に螺合するナット１８により前記吊り金具３の後端に引っ掛かる構成を有していれば単なる平板であってもよいが、図１に示すように断面コ字状を有し、コ字状の両端の立ち上がり部が前記吊り金具３の後端の両側に引っ掛かる構成とすることがより好ましい。
【００４９】
固定板１７に設けられている透孔１７Ａは雌ネジ部を有していることが好ましく、より好ましくはこれらの透孔１７Ａをバーリングタップ加工することで雌ネジ部を一体的に形成することである。尚、雌ネジ部を有する他の部材、例えば、ナット等を透孔１７Ａ部分に取り付けることで雌ネジ部を形成することもできる。
【００５０】
バーリングタップ加工を施す場合、図７に示すように固定板１７の透孔１７Ａをバーリングタップ加工を施した雌ネジ部とし、掛止部材１１〜１４に設けられている透孔１１Ａ，１２２Ａ，１３Ａ，１４Ａは雌ネジ部の無い透孔とすることが取付作業性が良好である。
【００５１】
該固定板１７の材質としては、吊り金具３と同種のステンレスや鉄等の金属素材から形成されることが好ましい。
【００５２】
ナット１６及びナット１８は、配管支持分野に用いられる公知公用のナットを特別の制限なく用いることができる。
【００５３】
以上の構成を有する掛止部材１１〜１４は、吊り金具３が取付けられる形鋼２の種類に応じて前記（１）〜（４）の構成から選ばれる掛止部材１１，１２・１３，１４，１５を適宜選択して用いることで、様々な形鋼２（Ｈ型鋼２Ａ、Ｌ型鋼２Ｂ、チャンネル２Ｃ）に対応した補強が可能となる。
【００５４】
本発明に係る吊り金具用補強金具によって取付固定が補強される吊り金具は、上記した実施例に用いた吊り金具３に限定されず、本発明の要旨に反しない限り様々なの形態の吊り金具に適用することができる。
【００５５】
例えば、図８〜図１３に示すように、取付ける形鋼２の長尺方向に幅広となっている吊り金具（幅広）４に適用することもできる。
【００５６】
図８は本考案に係る吊り金具用補強金具の他の実施例を示す斜視図、図９は図８の構成（１）の掛止部材を用いた使用例の一例を示す正面図、図１０は図８の構成（２）の掛止部材を用いた使用例の一例を示す正面図、図１１は図８の構成（３）の掛止部材を用いた使用例の一例を示す正面図、図１２は図８の構成（４）の掛止部材を用いた使用例の一例を示す正面図、図１３は図１２のＸＩＩＩ−ＸＩＩＩ線断面図である。尚、図８〜図１３において、前記した図１〜図７と同様の符号を付した構成については同様の構成を有する。
【００５７】
図８〜図１３に示すように、吊り金具（幅広）４に適用した場合であっても、前記した図１〜図７に示した実施例と同様に取付固定を補強することができる。
【００５８】
図８の（Ａ）及び図９の（Ａ）は各々図２及び図３に示す実施例の吊り金具３と同様の向きに吊り金具（幅広）４を形鋼２に取付けた態様を示すが、図８の（Ｂ）及び図９の（Ｂ）は吊り金具（幅広）４を転地逆に取付けた態様を示す。この場合であっても、吊り金具（幅広）の取付固定を確実に補強することが可能である。
【図面の簡単な説明】
【００５９】
【図１】本考案に係る吊り金具用補強金具の一実施例を示す斜視図
【図２】図１の構成（１）の掛止部材を用いた使用例の一例を示す正面図
【図３】図１の構成（２）の掛止部材を用いた使用例の一例を示す正面図
【図４】図１の構成（３）の掛止部材を用いた使用例の一例を示す正面図
【図５】図１の構成（４）の掛止部材を用いた使用例の一例を示す正面図
【図６】図５のＶＩ−ＶＩ線断面図
【図７】固定板の透孔と掛止部材の透孔の一例を示す要部断面図
【図８】本考案に係る吊り金具用補強金具の一実施例を示す斜視図
【図９】図８の構成（１）の掛止部材を用いた使用例の一例を示す正面図
【図１０】図８の構成（２）の掛止部材を用いた使用例の一例を示す正面図
【図１１】図８の構成（３）の掛止部材を用いた使用例の一例を示す正面図
【図１２】図８の構成（４）の掛止部材を用いた使用例の一例を示す正面図
【図１３】図１２のＸＩＩＩ−ＸＩＩＩ線断面図
【符号の説明】
【００６０】
１  吊り金具用補強金具
１１  構成（１）の掛止部材
１１Ａ  透孔
１１Ｂ  掛止部
１２  構成（２）の掛止部材
１２１  コ字状掛止部材
１２１Ａ  ２枚の水平抑え板部
１２１Ｂ  コ字状の開口部
１２１Ｃ  固定ボルト
１２２  コ字状固定部材
１２２Ａ  透孔
１３  構成（３）の掛止部材
１３Ａ  透孔
１３Ｂ  垂直フランジ掛止部
１４  構成（４）の掛止部材
１４Ａ  透孔
１４Ｂ  垂直フランジ掛止部
１４Ｃ  縦辺部
１４Ｄ  吊り金具掛止部
１４Ｅ  横辺部
１５  ネジ棒
１５Ａ  一端
１５Ｂ  他端
１６  ナット
１７  固定板
１７Ａ  透孔
１８  ナット
２  形鋼
２Ａ  Ｈ型鋼
２Ｂ  Ｌ型鋼
２Ｃ  チャンネル
２１  下フランジ
２１Ａ  下フランジの一方
２１Ｂ  下フランジの他方
２２  水平フランジ
２３  垂直フランジ
３  吊り金具
３１  ２枚の水平抑え板部
３２  開口部
３３  フランジ固定ボルト
４  吊り金具（幅広）
【図１】
0003125379.tif 000003
【図２】
0003125379.tif 000004
【図３】
0003125379.tif 000005
【図４】
0003125379.tif 000006
【図５】
0003125379.tif 000007
【図６】
0003125379.tif 000008
【図７】
0003125379.tif 000009
【図８】
0003125379.tif 000010
【図９】
0003125379.tif 000011
【図１０】
0003125379.tif 000012
【図１１】
0003125379.tif 000013
【図１２】
0003125379.tif 000014
【図１３】
0003125379.tif 000015